(57)【要約】テレビジョン信号処理装置２００等の装置は、管理データ、ガイドデータ、または緊急警報通知等の補助データを継続受信しつつ、チューナ２３０、２５０と関連する高速信号処理回路によるパワー損失を制御する手段を提供する。一実施形態によれば、テレビジョン信号処理装置２００は、前記テレビジョン信号処理装置２００が第１の動作モードにあるときに第１の信号に同調し、第２の動作モードにあるときにパワーを供給されない第１のチューナ２３０と、前記テレビジョン信号処理装置２００が第１の動作モードと第２の動作モードにあるときに第２の信号に同調し、第２の動作モードにある時間の一部でパワーを供給される第２のチューナ２５０とを有し、前記テレビジョン信号処理装置２００が第２の動作モードにある時間の前記一部は、前記テレビジョン信号処理装置２００が前記第２の動作モードにある時間の１００％より短いことを特徴とする装置である。
2006509472.tif 000002
【特許請求の範囲】
【請求項１】
テレビジョン信号処理装置であって、
前記テレビジョン信号処理装置が第１の動作モードにあるときに第１の信号に同調し、第２の動作モードにあるときにパワーを供給されない第１のチューナと、
前記テレビジョン信号処理装置が第１の動作モードと第２の動作モードにあるときに第２の信号に同調し、第２の動作モードにある時間の一部でパワーを供給される第２のチューナとを有し、
前記テレビジョン信号処理装置が第２の動作モードにある時間の前記一部は、前記テレビジョン信号処理装置が前記第２の動作モードにある時間の１００％より短いことを特徴とする装置。
【請求項２】
請求項１に記載のテレビジョン信号処理装置であって、
補助データの受信を容易にするために、前記テレビジョン信号処理装置が第２の動作モードにある時間の前記一部の間に前記第２のチューナにパワーを提供することを特徴とする装置。
【請求項３】
請求項２に記載のテレビジョン信号処理装置であって、
前記補助データはプログラムガイド情報であることを特徴とする装置。
【請求項４】
請求項２に記載のテレビジョン信号処理装置であって、
前記補助データは緊急警報信号であることを特徴とする装置。
【請求項５】
装置であって、
チューナと、
動作パワーのソースと、
前記装置の通常動作モードの間およびスタンバイ動作モードの第１の部分の間に、前記チューナに前記動作パワーを提供させ、前記スタンバイ動作モードの第２の部分の間に、前記チューナに前記動作パワーを提供させないコントローラとを有することを特徴とする装置。
【請求項６】
請求項５に記載の装置であって、
補助データの受信を容易にするために、スタンバイ動作モードの第１の時間の間に、前記チューナに動作パワーを提供することを特徴とする装置。
【請求項７】
請求項６に記載の装置であって、
前記補助データはプログラムガイド情報であることを特徴とする装置。
【請求項８】
請求項６に記載の装置であって、
前記補助データは緊急警報信号であることを特徴とする装置。
【請求項９】
請求項５に記載の装置であって、
前記コントローラは、温度測定に応答して、スタンバイ動作モードの前記第１の部分の間に前記動作パワーを提供することを特徴とする装置。
【請求項１０】
請求項５に記載の装置であって、
前記コントローラは、スタンバイ動作モードの前記第１の部分の間に、所定の時間に前記動作パワーを提供することを特徴とする装置。
【請求項１１】
装置であって、
制御手段と、
チューナと、
前記制御手段からの信号に応答してスタンバイモードで前記チューナにパワーを提供する電源とを有することを特徴とする装置。
【請求項１２】
請求項１１に記載の装置であって、
補助データの受信を容易にするために、スタンバイ動作モードの前記第１の部分の間に動作パワーを提供することを特徴とする装置。
【請求項１３】
請求項１２に記載の装置であって、
前記補助データはプログラムガイド情報であることを特徴とする装置。
【請求項１４】
請求項１２に記載の装置であって、
前記補助データは緊急警報信号であることを特徴とする装置。
【請求項１５】
請求項１１に記載の装置であって、
前記コントローラは、温度測定に応答して、スタンバイ動作モードの前記第１の部分の間に前記動作パワーを提供することを特徴とする装置。
【請求項１６】
請求項１１に記載の装置であって、
前記コントローラは、スタンバイ動作モードの前記第１の部分の間に、所定の時間に前記動作パワーを提供することを特徴とする装置。
【請求項１７】
通常動作モードを有し、スタンバイ動作モードを有する信号処理装置であって、
信号を選択するチューナと、
制御信号に応答して前記チューナにパワーを提供する電源と、
通常動作モードの間、および前記スタンバイモードの第１の部分の間に、前記電源をして前記チューナにパワーを提供させ、前記スタンバイ動作モードの第２の部分の間に、前記電源をして前記チューナにパワーを提供させないように、前記信号処理装置のパラメータに応じて前記制御信号を生成するコントローラとを有することを特徴とする装置。
【請求項１８】
信号処理装置のパワー損失を制御する方法であって、
第１の動作モードにおいてチューナにパワーを提供するステップと、
第２の動作モードの一部分の間に前記チューナにパワーを提供し、前記第２の動作モードの残りの部分の間に前記チューナにパワーを提供しないステップとを有することを特徴とする方法。
【請求項１９】
請求項１８に記載の方法であって、
補助データの受信を容易にするために前記第２の動作モードの前記一部分の間に、前記チューナにパワーを提供することを特徴とする方法。
【請求項２０】
請求項１９に記載の方法であって、
前記補助データはプログラムガイド情報であることを特徴とする方法。
【請求項２１】
請求項１８に記載の方法であって、
前記補助データは緊急警報信号であることを特徴とする方法。
【請求項２２】
請求項１８に記載の方法であって、
温度測定に応じて、スタンバイ動作モードの前記第１の部分の間に前記パワーを提供することを特徴とする方法。
【発明の詳細な説明】
【技術分野】
【０００１】
本発明は、複数のチューナを有し、管理データ、プログラムガイド情報、エネルギーアラート信号等の補助データを受信するテレビジョン信号処理装置等の装置に関する。
【背景技術】
【０００２】
本発明は、複数のチューナを有し、管理データ・プログラムガイド情報・エネルギー警報信号等の補助データを受信するテレビジョン信号処理装置等の装置に関する。
【０００３】
現代の信号処理装置は、一般的に、ＮＴＳＣ・ＡＴＳＣ・ＱＡＭ・衛星信号等の多数の信号フォーマットを処理する信号処理回路を含んでいる。このような信号処理装置は、一般的にその装置が受信する複数の信号やチャネルから特定の信号やチャネルを選択するチューナ等のコンポーネントを含む。ＡＴＳＣや衛星信号等のデジタル信号を処理するために、信号処理回路、特にチューナは高速デジタル回路でこれらの機能を実行しなければならない。高速信号処理において潜在的に好ましくない結果は、信号処理装置に使用されているコンポーネントの温度が上昇して信頼性限界に近づいたりそれを超えたりすることである。信号処理装置の信頼性を高めるためにその信号処理装置の動作温度を引き下げ、動作中の信号処理装置の消費電力を減らすことが望ましい。
【０００４】
信号処理装置はその使用状態に応じて様々な動作モードを有している。例えば、電力源から完全に切り離されているとき、信号処理装置はオフモードである。信号処理装置はスタンバイモードを有してもよい。そのスタンバイモードにおいては、信号処理装置は電力源に接続され、特定の信号やチャネルに同調して受信し、これらの信号やチャネルを介して送信された補助データを格納し、「オン」コマンド等のリモートコントロールコマンドを受信して処理できるが、オーディオやビデオの出力信号を生成はしない。さらにまた、オンモードの間は、システムは完全に動作中であり、通常はすべてのコンポーネントに電力が供給され、信号処理装置を冷ますためにファンを使用することができる。動作中の特定のモードでは、特定のシステムコンポーネントを消費電力とノイズを低減するためにディスエーブルしてもよい。特に、コンポーネントの過剰な温度上昇を最小化するための冷却ファン等のコンポーネントはディスエーブルしてもよい。その結果、「スタンバイ」モード等の動作モード中にコンポーネントの熱状態が悪化することがある。しかし、信号処理装置は、特定の信号やチャネルに同調して受信し、これらの信号やチャネルを介して送信された補助データを格納し、リモートコントロールコマンドを受信して処理する必要があるので、スタンバイモード中にすべてのコンポーネントのパワーを切ってしまうことはできない。特に、管理データ、ガイドデータ、緊急警告通報等の補助データを受信し続けている間にチューナに関連した高速信号処理回路により発生する熱を減らすことが望ましい。
【発明の開示】
【課題を解決するための手段】
【０００５】
本発明の一態様によれば、第１のチューナと第２のチューナを有するテレビジョン信号処理システムが開示されている。本発明は上記の問題を解決するにあたり、処理手段に応答して、前記システムの１以上の動作モード中に、前記第１のチューナに供給される前記パワーを切り、前記第２のチューナに供給される前記パワーを引き続き供給させるスイッチング回路を提供し、それにより熱発生を抑え、製品寿命を延ばす。一実施例として、前記第１のチューナ供給する主パワーを切断することにより、スタンバイモードにおけるチューナの内部自己発熱とその結果としての信号処理装置の加熱を低減し、一方、補助データを継続的に受信するという所望の機能を維持する。
【発明を実施するための最良の形態】
【０００６】
添付した図面を参照して本発明の実施形態の以下の説明を読めば、本発明の上記その他の特徴と有利な点およびそれらを実施するやり方は明らかとなり、本発明をよりよく理解することができるであろう。
【０００７】
ここに説明する例示は本発明の好ましい実施形態を示すものであり、いかなるやり方であれ本発明の範囲を限定するものと解釈してはならない。
【０００８】
図面を参照して、特に図１を参照して、本発明を実施するのに好適な環境１００の例を示す。図１において、環境１００は、信号送信源１０等の信号送信手段と、居住部１５等の居住手段（すなわち、１、２、３、．．．、Ｎ、ここでＮは正の整数）と、テレビジョン信号処理装置２００等の信号受信手段とを有する。
【０００９】
図１において、居住部１５は、特定の地理的エリア内に位置する住居、企業、その他の居住場所である。特定の地理的エリアとは、例えば、特定の大陸、国、領域、州、エリアコード、ジップコード、市、郡、市町村、区画、その他の定義できる地理的エリアであるが、これらに限定されるものではない。一実施形態によれば、各居住部１５には少なくとも１つのテレビジョン信号処理装置２００が設けられている。本発明によれば、テレビジョン信号処理装置２００は、発生する熱量を減らしてスタンバイモードにあるとき、補助データ、プログラムガイドデータ、緊急警報信号等の情報を受信することができる。
【００１０】
一実施形態によれば、オンモードは、テレビジョン信号処理装置２００のスイッチがオンになっている（すなわち、オーディオやビデオ出力を供給する）動作モードであり、一方オフ／スタンバイモードは、テレビジョン信号処理装置２００のスイッチはオフになっている（すなわち、オーディオやビデオ出力は供給されない）が、電力の供給は受けている動作モードである。テレビジョン信号処理装置２００は、例えば、ユーザ入力に応じてオフ／スタンバイモードからオンモードに切り替わる。
【００１１】
カラーテレビジョンレシーバやビデオ信号処理装置等の、テレビジョン信号処理装置２００の他の実施形態は、第１と第２のビデオ信号を両方同時に処理し、補助情報も処理する能力を有する。一実施例として、一部のビデオ信号処理システムは、第１のビデオ信号を受信して処理し、第１の画像（または「主」画像）を表す第１の出力信号を生成するとともに、第２のビデオ信号を受信して処理し、第２の画像（または副画像）を表す第２の出力信号を生成する。第１と第２の出力信号はディスプレイ装置に送られ、主画像と副画像の両方を含む画像を表示する。このようなシステムの例としては、ピクチャ・イン・ピクチャ（ＰＩＰ）またはピクチャ・アウトサイド・ピクチャ（ＰＯＰ）等のテレビジョンシステムがある。上記のシステムは、例えば、第１と第２のビデオ信号をそれぞれ同時かつ独立に選択する第１と第２のチューナを含み、その第１と第２のビデオ信号は処理され、第１と第２の画像を表す出力信号となる。例えば、ＰＩＰ機能を有するカラーテレビジョンレシーバ等の上記のシステムにおいて、補助情報を受信して処理することも望ましい。例えば、テレビジョンプログラミングに関連するビデオおよびオーディオ信号を受信するのに加えて、ガイドデータ等の補助情報も受信して、そのガイドデータを処理し、テレビジョンレシーバとのユーザインターラクションを簡単かつ容易にするために、電子プログラムガイド（ＥＰＧ）等のオンスクリーンディスプレイ（ＯＳＤ）を生成することが望ましい。テレビスクリーンにピクチャ・イン・ピクチャを表示するのに加えて、テレビがスタンバイモードのとき、ＰＩＰチューナをＥＰＧデータ収集に使用してもよい。ＥＰＧデータ等の補助情報を受信して処理するために、チューナは、データを搬送しているチャネルや信号を選択し信号処理回路に供給できるように、パワーを供給され動作していなければならない。補助データを受信して処理する機能を提供し、なおかつ上記のコンポーネント熱問題を解決するため、システムはスタンバイモードにおいて、より複雑な第１のチューナへのパワーを切り、より複雑でない第２のチューナへのパワーを維持してもよい。
【００１２】
補助データを受信して処理する機能を提供し、なおかつ上記のコンポーネント熱問題を解決するため、システムはスタンバイモードの一定の時間に、より複雑な第１のチューナへのパワーを切り、より複雑でない第２のチューナへのパワーを維持してもよい。その一定の時間とは、スタンバイ期間の一部であり、その期間中に補助情報を収集し処理することができる。例えば、システムに含まれているマイクロプロセッサ等の制御デバイスは、スタンバイモード等の特定の動作モードの起動に応じて、チューナに供給するパワーを制御するプロセスを起動する。そのプロセスは、データ収集のため一定の時間にわたって単一のチューナをオンし、その後、その単一のチューナをオフする。本発明のこの実施形態は、スタンバイ期間中に約３０％のデューティサイクルを有していてもよい。パワーオンによるデータ収集の期間または頻度は様々な要因に応じて異なってもよい。例えば、チューナのオン時間はコンポーネントの温度に応じて変化してもよく、温度が許容できる限界以内に入っている限り長い期間オンになっていてもよい。チューナオン時間は収集するデータ量やデータレートに応じて変化してもよい。例えば、より多くのデータを受信して処理する必要がある場合や、データレートが低くて処理時間がかかる場合には、コンポーネント温度が許容できる限り、チューナのオン時間は長くされる。
【００１３】
図２を参照して、図１に示したテレビジョン信号処理装置２００の一実施形態のブロック図が示されている。図２において、テレビ信号処理装置２００は以下のものを有する：信号受信部２１０等の信号受信手段、信号スプリッタ２２０等の信号分離手段、チューナ２３０等の第１の同調手段、復調器２４０等の第１の復調手段、第２のチューナ２５０等の第２の同調手段、復調器２６０等の第２の復調手段、デコーダ２７０等の復号手段、プロセッサおよびメモリ２８０等の処理手段および記憶手段、オーディオアンプ２９０等のオーディオ増幅手段、スピーカ２３５等のオーディオ出力手段、ビデオプロセッサ２４５等のビデオ処理手段、ディスプレイ２５５等のビジュアル出力手段、電源２２５、前記プロセッサおよびメモリ２８０に応答するスイッチ２１５。前記エレメントの一部は、例えば集積回路（ＩＣ）を用いて実施されてもよい。説明を分かりやすくするため、テレビジョン信号処理装置２００の制御信号を含む従来の要素の一部は、図２に示していない。一実施形態において、テレビジョン信号処理装置２００はアナログフォーマットおよび／またはデジタルフォーマットで信号を受信して処理してもよい。
【００１４】
信号受信エレメント２１０は、図１の信号送信源１０等の信号源から、オーディオ・ビデオ・および／または補助データを含む信号を受信するように動作する。信号受信エレメント２１０は、アンテナ、入力端子、その他のエレメント等の信号受信エレメントとして実施されてもよい。
【００１５】
信号スプリッタ２２０は信号受信エレメント２１０から供給された信号を第１と第２の周波数チャネルに分離するように動作する。一実施形態によれば、テレビジョン信号処理装置２００はピクチャ・イン・ピクチャ（ＰＩＰ）機能を含んでいてもよい。この機能は、第１のチャネルが主ピクチャのためのオーディオおよび／またはビデオ信号を含み、第２のチャネルがＰＩＰ機能のためのオーディオおよび／またはビデオ信号を含む。
【００１６】
チューナ２３０は、テレビジョン信号処理装置２００がオンモードのとき、第１のチャネルのオーディオ・ビデオ・および／または補助データ信号を含む信号に同調するよう動作する。従って、チューナ２３０はテレビジョン信号処理装置２００の主画像の信号に同調する。復調器２４０は、チューナ２３０から供給される信号を復調するように動作し、アナログおよび／またはデジタル送信フォーマットの信号を復調してもよい。
【００１７】
チューナ２５０は、テレビジョン信号処理装置２００がオンモードのとき、第２のチャネルのオーディオ・ビデオ・および／または補助データを含む信号に同調するように動作する。従って、チューナ２５０はテレビジョン信号処理装置２００のＰＩＰ機能の信号に同調する。また、チューナ２５０は、テレビジョン信号処理装置２００がスタンバイモードのとき、第２のチャネルの補助データ信号を含む信号に同調するように動作する。このように、チューナ２５０により、オンモードでもスタンバイモードでもテレビジョン信号処理装置２００は緊急警報信号を受信することができる。復調器２６０は、チューナ２５０から供給された信号を復調するように動作し、アナログおよび／またはデジタル送信フォーマットの信号を復調してもよい。
【００１８】
スイッチ２１５は、電源２２５と第１のチューナ２３０および第２のチューナ２５０との間の接続または切断を行うように動作する。スイッチ２１５はプロセッサ２８０からの制御信号に応答する。上記の制御信号により、スイッチはプロセッサ２８０の命令に応じてチューナ２３０、２５０、またはその組み合わせにパワーを供給し、またはパワーを供給しないことができる。このスイッチの動作は、オンまたはスタンバイ等のパワー状態、チューナ２３０・２５０の予めプログラムされたデューティサイクル、補助データの受信等のプロセッサ２８０により実行されるべき必要なタスクに応じて決まり、または任意的に信号処理回路の動作温度に応じて決まる。また、上記制御信号により、テレビジョン信号処理装置２００の他の動作が可能となる。例えば、オフ／スタンバイモードからオンモードにスイッチされる。本発明のこれらの態様については、後でさらに詳細に説明する。
【００１９】
デコーダ２７０は、復調器２４０、２６０から供給されるオーディオ・ビデオ・および／または補助データを含む信号を復号するように動作する。一実施形態によれば、デコーダ２７０は、緊急なイベントを示す緊急警報信号を表すデジタルデータを復号する。デコーダ２７０は、アナログテレビジョン信号の垂直輝線インターバル（ＶＢＩ）に含まれた補助データを表すデータを復号するなど、他の復号機能を実行してもよい。一実施形態による補助データ信号の例には、緊急のイベントに関連する特定エリアメッセージ符号化（Ｓｐｅｃｉｆｉｃ  Ａｒｅａ  Ｍｅｓｓａｇｅ  Ｅｎｃｏｄｉｎｇ、ＳＡＭＥ）データを有するデータを含む緊急警報信号が含まれてもよい。ＳＡＭＥデータは、その緊急イベントにより影響を受ける特定の地理的エリア、緊急イベントの種類（例えば、竜巻警報、放射線障害警報、非常事態等）、そのイベント警報の解除時期等の情報を表すデジタルコードを有する。ＳＡＭＥデータは緊急警報の限定性を向上し、誤報の頻度を減らすために、国立測候所（ＮＷＳ）その他の当局により使用される。本発明による緊急警報信号には他のデータや情報が含まれてもよい。
【００２０】
プロセッサおよびメモリ２８０は、テレビジョン信号処理装置２００の様々な処理・制御・データ記憶機能を実行するように動作する。一実施形態によれば、プロセッサ２８０は、デコーダ２７０から供給されたオーディオおよびビデオ信号を処理するように動作し、例えば、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）信号処理等のアナログ処理および／またはＭＰＥＧ（Ｍｏｔｉｏｎ  Ｐｉｃｔｕｒｅ  Ｅｘｐｅｒｔ  Ｇｒｏｕｐ）処理等のデジタル処理を実行してもよい。
【００２１】
プロセッサおよびメモリ２８０は、デコーダ２７０からの補助データ信号を受信し、その受信した補助データ信号に基づき何の動作が必要かを判断するようにも動作する。例えば、ＥＰＧデータを受信したとき、プロセッサ２８０は、ＥＰＧデータをソートし、プロセッサの関連メモリ２８０にそのデータを格納するように決定する。プロセッサ２８０がテレビジョン信号処理装置２００の緊急警報機能に関連する補助データを受信したとき、その緊急警報信号中のデータをメモリ２８０に格納されているユーザ設定データと比較して、緊急警報信号を起動するために緊急警報機能が起動されたかどうかを判断する。
【００２２】
オーディオアンプ２９０は、プロセッサ２８０から供給されるオーディオ信号を増幅するように動作する。スピーカ２３５は、オーディオアンプ２９０から供給された増幅されたオーディオ信号を聴覚的に出力するように動作する。
【００２３】
ビデオプロセッサ２４５は、プロセッサ２８０から供給されるビデオ信号を処理するように動作する。一実施形態によれば、上記のビデオ信号は、ＥＰＧ情報や緊急警報情報等の受信した補助データ信号に含まれるデータに基づく情報を含んでもよい。ビデオプロセッサ２４５は、クローズドキャプション表示を可能とするクローズドキャプション回路を含んでいてもよい。ディスプレイ２５５は、ビデオプロセッサ２４５から供給された処理された信号に対応する視覚的表示を提供するように動作する。
【００２４】
図３を参照して、電源３４０からチューナ３１０・３２０、および任意的ファン３６０のスイッチング構成の一実施形態のブロック図を示した。図３に示した実施形態において、図２のテレビジョン信号処理装置２００がオン、または通常動作モードであるとき、図２のテレビジョン信号処理装置２００で発生した熱を減らすためファンを使用する。スタンバイモードの間、図２のテレビジョン信号処理装置２００はコンセントに接続されているが、図２のテレビジョン信号処理装置２００は使用されてなく、図２のビデオディスプレイ２５５と図２のオーディオアンプ２９０はオフになっているとき、過剰な環境ノイズを避けるため、図２のテレビジョン信号処理装置２００により生成されるノイズを減らすために、ファン３６０へのパワーを切ることが望ましい。電源３４０を第１のチューナ、第２のチューナ３２０、またはファン３６０から切り離すために、プロセッサ３５０はスイッチ３３０に制御信号を送る。プロセッサ３５０は、いくつかのイベントや基準に基づき、制御信号をスイッチ３３０に送り、チューナ３１０、３２０、およびファン３６０に供給されるパワーを変更することができる。リモートコントロール（図示せず）による、図２のテレビジョン信号処理装置２００をスタンバイモードにするユーザコマンドに応答して制御信号が送られる。テレビジョン信号処理装置を最適温度より低い温度で動作させ、一方必要なときはチューナが補助データを受信可能なように最適化された、製品設計者により決定された予めプログラムされたデューティサイクルに基づき、制御信号を送ることもできる。
【００２５】
図４を参照して、電源４４０からチューナ４１０、４２０のスイッチング構成の一実施形態のブロック図を示した。このスイッチング構成は温度センサ４６０をさらに有し、プロセッサ４５０は図２のテレビジョン信号受信装置２００の温度に基づきチューナ４１０、４２０のデューティサイクルを変更できる。温度センサ４６０により測定される温度には、図２のテレビジョン信号処理装置２００の内部の周囲温度、図２のテレビジョン信号処理装置２００内のコンポーネントまたは集積回路の温度、チューナ４１０、４２０いずれかの温度、これらの温度の任意の組み合わせが含まれる。この実施形態において、図３のファン３６０のようなファンを用いて、プロセッサ４５０により制御して、様々な動作温度において図２のテレビジョン信号処理装置２００の温度を制御することができる。
【００２６】
図５を参照して、図２のスイッチ２１５等のスイッチング回路５００の一実施形態のブロック図を示した。図５に示した実施形態において、図２のチューナ２３０への電源Ｖ１をオフするために、制御信号（ＴＵＮ１〜ＣＮＴＬ）が設けられている。この制御信号の状態は図２のプロセッサ２８０により決定される。プロセッサ２８０は様々な入力による十分な情報を有している。例えば、リモートコントロール（図示せず）から受信した「パワーオフ」信号であり、この信号から図１のテレビジョン信号処理装置２００をいつスタンバイモードにすべきかを知ることができる。スタンバイモードにおいて不要な熱発生を減らすため、２つのトランジスタスイッチ５１０、５２０を用いて、第３のトランジスタ５３０を操作し、第１の電源（Ｖ１）をチューナ（チューナＡ）から切り離す。制御信号はオンモードでハイになり、第１のトランジスタスイッチ５１０をオンにする。本実施形態において、この第１のトランジスタスイッチ５１０はＮＰＮトランジスタである。第１のトランジスタスイッチ５１０は第２のトランジスタスイッチ５２０をオンにする。本実施形態において、この第２のトランジスタスイッチ５２０はＰＮＰトランジスタである。第２のトランジスタスイッチ５２０がオンになると、正しいゲートバイアス電圧を第３のトランジスタ５３０に印加し、第３のトランジスタ５３０をオンにする。本発明のこの実施形態において、第３のトランジスタ５３０としてＦＥＴトランジスタを用いる。抵抗分圧ネットワークＲ１、Ｒ２、Ｒ３を通して、第３のトランジスタ５３０への適当な駆動電圧を設定することができる。この分圧ネットワークＲ１、Ｒ２、Ｒ３の使用により、第３のトランジスタスイッチ５３０のゲートに印加される電圧に、第２の電源Ｖ２を使用できるようになり、ゲート・ソース間電圧を超えない。第３のトランジスタ５３０として低コストのＦＥＴトランジスタを使用することにより、スタンバイモードにおけるチューナパワー損失の９６％を無くすことができる。チューナをオンやオフするために必要なパワーを最小化するために、バイポーラスイッチの上でＦＥＴトランジスタを使用する（ｕｓｅｄ  ｏｖｅｒ）。オンモード中にファン５４０にパワーを供給するため、ファン５４０をスイッチング回路５００に適当な点で接続し、各動作モードで適正な入力パワーと適当な動作状態を提供することができる。本実施形態において、第２の抵抗ネットワークＲ４、Ｒ５を用いて、トランジスタ５２０に適正なバイアス電圧レベルを提供することができる。オンモードにおいて、第１のトランジスタ５１０をオンにして、ファンへの入力電圧をゼロに下げ、ファン５４０をオンにする。図５に示した実施例において、単一のデバイスへのパワーを制御するスイッチング回路を示した。複数のデバイスを独立に制御するために、図５に示したスイッチング回路を複数使用することもできるし、スイッチング回路の部品を適当に組み合わせて所望の動作結果を達成することもできる。
【００２７】
ここで説明したように、本発明は、テレビジョン信号処理装置等の装置および／またはモデムを用いて緊急警報信号を受信する方法を提供する。本発明は、ディスプレイ装置を有していようがいまいが、様々な装置に適用することができる。従って、ここで使用した「テレビジョン信号処理装置」というフレーズは、テレビジョン信号を受信して処理することができるシステムまたは装置を指す。この装置またはシステムには、例えば、テレビジョンセット、ディスプレイデバイスを含むモニター、セットトップボックス・ビデオカセットレコーダ（ＶＣＲ）・デジタルバーサタイルディスク（ＤＶＤ）プレーヤ・ビデオゲームボックス・パーソナルビデオレコーダ（ＰＶＲ）等のシステムや装置、ディスプレイデバイスを含まなくてもよいその他の装置が含まれるが、これらに限定されるものではない。
【００２８】
本発明を好ましい設計を有するものとして説明したが、本発明はこの開示の精神と範囲の中でさらに修正することも可能である。この出願は、本発明の一般的原理を用いた本発明の変形例、使用例、適応例もカバーすることを意図している。さらに、この出願は、本発明に属し添付したクレームの限定の範囲に含まれる、本技術分野で知られまたは慣用されている本開示からの差異をもカバーすることを意図している。
【図面の簡単な説明】
【００２９】
【図１】本発明の実施に好適な環境の例を示す図である。
【図２】本発明の一実施形態によるテレビジョン信号処理装置を示すブロック図である。
【図３】本発明の一実施形態によるチューナ電源の第１のスイッチング構成を示すブロック図である。
【図４】本発明の一実施形態による任意的温度センサーを有するチューナ電源の第２のスイッチング構成を示すブロック図である。
【図５】本発明の一実施形態による制御信号に応じるスイッチング構成を示すブロック図である。
【図１】
2006509472.tif 000003
【図２】
2006509472.tif 000004
【図３】
2006509472.tif 000005
【図４】
2006509472.tif 000006
【図５】
2006509472.tif 000007
【国際調査報告】
2006509472.tif 000008